(57)【要約】【課題】嵩低い状態で廃棄処理することができ、硬質ボトルタイプの飲料ディスペンサにも採用することができる飲料ディスペンサ用のカートリッジ容器を提供することである。【解決手段】薄肉の筒状胴部１を周方向に山７と谷８が交互に配置される波状とし、その波状胴部１に周方向に延びる複数の横リブ９を胴部１の高さ方向に間隔を置いて設け、上記波状胴部１の山７により胴部１の高さ方向の剛性を高め、内部の飲料が下向きとされた筒口部５から流出した際でも胴部１が筒状の原形状態に保持して、硬質ボトルタイプの飲料ディスペンサにも採用することができるようにする。また、容器が空になった場合には、胴部１を高さ方向に押し下げて横リブ９間と対向する部位において胴部１を内方に折り曲げ、扁平な嵩低い折畳みとして廃棄処理する。【選択図】図１
2012136227.tif 000002
【特許請求の範囲】
【請求項１】
筒状の胴部、その胴部の下端を閉塞する底部、前記胴部の上端を閉塞する頂部を有し、その頂部に筒口部が形成され、前記胴部が薄肉とされて折畳み可能とされ、前記筒口部を下向きとして飲料ディスペンサの差込み口に接続され、内部に充填された飲料を飲料ディスペンサに供給する飲料ディスペンサ用のカートリッジ容器において、
前記胴部が、高さ方向に延びる山と谷とが周方向に交互に並ぶ波状とされ、その波状胴部の外周に周方向に延びる複数の横リブが高さ方向に間隔をおいて形成され、その横リブのピッチをＰ１とし、前記波状胴部の山のピッチをＰ２としたとき、Ｐ１>Ｐ２とされていることを特徴する飲料ディスペンサ用のカートリッジ容器。
【請求項２】
前記波状胴部の山の頂部には、前記横リブ間と対向する部位に、溝筋状の横向き折り目線を胴部周方向にランダムに形成した請求項１に記載の飲料ディスペンサ用のカートリッジ容器。
【請求項３】
前記横向き折り目線を胴部高さ方向にランダムに形成した請求項１に記載の飲料ディスペンサ用のカートリッジ容器。
【発明の詳細な説明】
【技術分野】
【０００１】
この発明は、飲料ディスペンサ用のカートリッジ容器に関する。
【背景技術】
【０００２】
飲料水やジュース等の飲料ディスペンサにおいては、上部に設けられた差込み口にカートリッジ容器に設けられた筒口部を接続して、カートリッジ容器内に充填された飲料を飲料ディスペンサ内に組み込まれたタンク内に移し替え、そのタンクに接続された抽出管の先端の抽出バルブの開放操作により、その抽出管から飲料を抽出させてコップで受け取るようにしている。
【０００３】
上記のような飲料ディスペンサにセットされるカートリッジ容器には、特許文献１に記載されているように、胴部が薄肉とされ、充填された飲料が下向きとされた筒口部から自重によって流出すると胴部が収縮して、空気の置換作用を行わせることなく飲料を流出させることができるようにした折畳み可能な軟質ボトルと、特許文献２に記載されているように、全体が厚肉とされて空気の置換作用によって飲料を流出させるようにした変形不可能な硬質ボトルとが存在する。一方、飲料ディスペンサは、それぞれのボトル専用とされ、軟質ボトルタイプと、硬質ボトルタイプの２種類がある。
【０００４】
ここで、硬質ボトルからなるカートリッジ容器においては、製品コストが高いため、一般的に、空になると回収して洗浄し、乾燥、滅菌処理後に飲料を充填して再利用することが行われている。この場合、嵩高いため、取扱いが困難であり、回収作業や洗浄作業等に非常に手間がかかり、飲料コストも非常に高いものとなるという問題があった。
【０００５】
一方、軟質ボトルからなるカートリッジ容器においては、製品コストも安いため、使い捨てとされ、しかも、胴部を折り畳むことによって嵩低くすることができるため、廃棄の際の取扱いが容易であるという特徴を有している。
【先行技術文献】
【特許文献】
【０００６】
【特許文献１】特開２００６−１３１２７７号公報
【特許文献２】特開２００７−２５４０２２号公報
【発明の概要】
【発明が解決しようとする課題】
【０００７】
ところで、胴部が折畳み可能な軟質ボトルからなる従来のカートリッジ容器においては、充填された飲料の自重により胴部が収縮変形するため、硬質ボトルタイプの飲料ディスペンサに使用することができないという問題があった。
【０００８】
この発明の課題は、嵩低い状態で廃棄処理することができ、硬質ボトルタイプの飲料ディスペンサにも採用することができる飲料ディスペンサ用のカートリッジ容器を提供することである。
【課題を解決するための手段】
【０００９】
上記の課題を解決するために、この発明においては、筒状の胴部、その胴部の下端を閉塞する底部、前記胴部の上端を閉塞する頂部を有し、その頂部に筒口部が形成され、前記胴部が薄肉とされて折畳み可能とされ、前記筒口部を下向きとして飲料ディスペンサの差込み口に接続され、内部に充填された飲料を飲料ディスペンサに供給する飲料ディスペンサ用のカートリッジ容器において、前記胴部を、高さ方向に延びる山と谷とが周方向に交互に並ぶ波状とし、その波状胴部の外周に周方向に延びる複数の横リブを高さ方向に間隔をおいて形成し、その横リブのピッチをＰ１とし、前記波状胴部の山のピッチをＰ２としたとき、Ｐ１>Ｐ２とした構成を採用したのである。
【００１０】
上記のように、薄肉とされた胴部を周方向に波が打つ波状とすることにより、胴部の高さ方向の剛性を高めることができる。このため、内部に充填された飲料が流出しても、胴部は筒状の原形状態を保持して変形することがなく、その飲料の流出とともに外部のエアが容器内部に流入して空気との置換作用が行われることになる。その結果、硬質ボトルタイプの飲料ディスペンサへの採用を可能とすることができる。
【００１１】
カートリッジ容器が空になると廃棄処理する。その際、そのカートリッジ容器を高さ方向に押し込むと、胴部が横リブ間と対向する部位において内方に折れ曲がり、カートリッジ容器の胴部を高さ方向にコンパクトに折り畳むことができる。このため、カートリッジ容器を嵩低い状態で簡単に廃棄処理することができる。
【００１２】
ここで、波状胴部の山の頂部において、横リブ間と対向する部位に、溝筋状の横向き折り目線を胴部周方向および胴部高さ方向にランダムに形成することにより、胴部をより簡単に折り畳むことができる。
【発明の効果】
【００１３】
この発明に係るカートリッジ容器においては、上記のように、胴部を周方向に波を打たせて高さ方向の剛性を高めたことにより、充填された飲料が流出しても、胴部は筒状の原形状態を維持して変形することがなく、その飲料の流出とともに外部のエアが容器内部に流入して空気の置換作用が行われるため、硬質ボトルタイプの飲料ディスペンサへの採用を可能とすることができる。
【００１４】
また、胴部を高さ方向に押し込むことにより、胴部の高さ方向に間隔をおいて形成した複数の横リブ間と対向する部位が内方に折れ曲がって胴部がコンパクトに折り畳まれることになるため、空となったカートリッジ容器を嵩低い状態で廃棄処理することができる。
【図面の簡単な説明】
【００１５】
【図１】この発明に係るカートリッジ容器の正面図
【図２】図１のII−II線に沿った断面図
【図３】図１のIII−III線に沿った断面図
【図４】図１のIV−IV線に沿った断面図
【図５】図１のV−V線に沿った断面図
【図６】カートリッジ容器の他の例を示す正面図
【発明を実施するための形態】
【００１６】
以下、この発明の実施の形態を図面に基づいて説明する。図１乃至図５に示すように、飲料ディスペンサ用のカートリッジ容器Ａは、筒状の胴部１と、その胴部１の下端を閉塞する底部２および胴部１の上端を閉塞する頂部３を有し、上記底部２の下面には起伏可能な把手４が設けられて持ち運び自在とされ、一方、頂部３の中央部には筒口部５が形成され、その筒口部５にキャップ６が取り付けられている。
【００１７】
ここで、図では省略したが、キャップ６の内部には栓体が組み込まれており、筒口部５を下向きとして持ち運びされても内部に充填された飲料が流出しないようにされている。また、筒口部５を下向きとし、その筒口部５が飲料ディスペンサの差込み口に接続されるようにして飲料ディスペンサにカートリッジ容器Ａをセットすると、上記栓体が開放し、カートリッジ容器Ａ内に充填された飲料が筒口部５から流出して飲料ディスペンサの内部に設けられたタンク内に流入するようになっている。
【００１８】
上記カートリッジ容器Ａは、樹脂の成形品からなり、その頂部３は、筒口部５を含む全体が厚肉とされて保形性を有している。また、底部２も厚肉とされて保形性を有している。ここで、樹脂として、ポリエチレンテレフタレート（ＰＥＴ）を採用しているが、樹脂はこれに限定されるものではない。
【００１９】
胴部１は、薄肉とされて折畳み可能とされている。実施の形態では、胴部１を４角筒状としているが、これに限定されるものではなく、円筒状等の形状を採ることができる。
【００２０】
胴部１は、図４に示すように、高さ方向に延びる山７と谷８とが周方向に交互に並ぶ波状とされている。その波状胴部１には、図１および図４に示すように、周方向に延びる複数の横リブ９が胴部１の高さ方向に間隔をおいて形成されている。
【００２１】
ここで、図１に示すように、横リブ９のピッチをＰ１とし、波状胴部１の山７のピッチをＰ２としたとき、横リブ９のピッチＰ１はＰ１>Ｐ２の関係が成り立つ大きさとされて、波状胴部１の山７の数が横リブ９の数より多くされている。
【００２２】
また、図４に示すように、横リブ９の高さをＨ１とし、波状胴部１の山７の高さをＨ２とすると、横リブ９の高さＨ１は、Ｈ１≧Ｈ２の関係が成り立つような大きさとされている。実施の形態では、Ｈ１＝Ｈ２としている。
【００２３】
実施の形態で示す飲料ディスペンサ用のカートリッジ容器Ａは上記の構造からなり、そのカートリッジ容器Ａは、筒口部５を下向きとし、その筒口部５が飲料ディスペンサの差込み口に接続されるようにして飲料ディスペンサにセットする。
【００２４】
上記のようなセット状態で、内部に充填された飲料は筒口部５から流出して飲料ディスペンサの内部に設けられたタンク内に流入する。このとき、カートリッジ容器Ａの胴部１は、図２に示すように、周方向に波を打つ波状とされ、その山７および谷８がリブの役目を果たして胴部１の高さ方向の剛性が高められているため、内部に充填された飲料が流出しても、胴部１は４角筒状の原形状態を保持して変形することがなく、その飲料の流出とともに外部のエアが容器内部に流入して空気の置換作用が行われることになる。このため、硬質ボトルタイプの飲料ディスペンサにも使用することができる。
【００２５】
カートリッジ容器Ａ内の飲料が飲料ディスペンサのタンク内に移し替えられ、そのカートリッジ容器Ａが空になると、飲料ディスペンサからカートリッジ容器Ａを取り外して廃棄処理する。
【００２６】
その際、空のカートリッジ容器Ａを高さ方向に押し込むと、胴部１が横リブ９間と対向する部位において内方に折れ曲がり、カートリッジ容器Ａの胴部１を高さ方向にコンパクトに折り畳むことができる。このため、カートリッジ容器Ａを嵩低い状態で簡単に廃棄処理することができる。
【００２７】
ここで、図６に示すように、波状胴部１における山７の頂部の上記横リブ９間と対向する部位に溝筋状の横向き折り目線１０を胴部１周方向および高さ方向にランダムに形成することにより、山７の折曲げ抵抗が減少し、胴部１をより簡単に折り畳むことができる。
【符号の説明】
【００２８】
１    胴部
２    底部
３    頂部
５    筒口部
７    山
８    谷
９    横リブ
１０  折り目線
【図１】
2012136227.tif 000003
【図２】
2012136227.tif 000004
【図３】
2012136227.tif 000005
【図４】
2012136227.tif 000006
【図５】
2012136227.tif 000007
【図６】
2012136227.tif 000008